(57)【特許請求の範囲】
【請求項１】
正面開口部を有する庫本体と、同庫本体の左右の各側縁部に基端側縁部を前後方向へ回動可能に支持されて同庫本体の正面開口部を開閉する左右の第１および第２の扉と、前記第１の扉の先端側縁部の内面側にて内外方向へ回動可能に支持されて同第１の扉の先端側縁部に沿って上下方向に延び外方向への回動時には同第１の扉の内面に沿って同扉の先端側縁部から先端側へ突出するとともに内方向への回動時には同扉の先端側縁部から後退する柱状の閉塞部材と、前記庫本体の上下各縁部に設けられ前記閉塞部材の上下各端部と摺接して同閉塞部材を外方向へ回動させるガイド部材を備え、前記両扉の閉鎖時、これら両扉の内面を前記庫本体の正面開口部の周縁部の前面にシール部材を介して当接させて同正面開口部の周囲を閉塞するとともに、前記閉塞部材の前面を前記両扉の先端側縁部の内面にシール部材を介して当接させて前記両扉の互いに対向する先端側縁部間の上下方向の隙間を閉塞するように構成した観音開き式冷蔵庫において、前記閉塞部材の上下各端部を前記第１の扉の先端側縁部の内面の上下各部位に回動可能に支持するヒンジを構成する可動側ヒンジ部および固定側ヒンジ部の互いに対向するいずれか一方の部位にマグネットを設けて、いずれか他方の部位を前記マグネットに対する吸着面としたことを特徴とする観音開き式冷蔵庫。
【請求項２】
請求項１に記載の観音開き式冷蔵庫において、前記マグネットを前記閉塞部材の上下各端部側に設けて、前記マグネットが対向する前記第１の扉の先端側縁部の部位と、前記マグネットが対向する前記ガイド部材の対向する部位とを、前記マグネットに対する吸着面としたことを特徴とする観音開き式冷蔵庫。
【請求項３】
請求項１または２に記載の観音開き式冷蔵庫において、前記閉塞部材の上下各端部を前記第１の扉の先端側縁部の内面の上下各部位に回動可能に支持する両ヒンジの少なくとも一方のヒンジを構成する可動側ヒンジ部および固定側ヒンジ部間に、前記閉塞部材を内方向へ付勢するバネ部材を配設したことを特徴とする観音開き式冷蔵庫。
【発明の詳細な説明】
【０００１】
【産業上の利用分野】
本発明は、観音開き式冷蔵庫に関する。
【０００２】
【従来の技術】
観音開き式冷蔵庫の一形式として、特公平５−７３９９５号公報に示されているように、正面開口部を有する庫本体と、同庫本体の左右の各側縁部に基端側縁部を前後方向へ回動可能に支持されて同庫本体の正面開口部を開閉する左右の第１および第２の扉と、前記第１の扉の先端側縁部の内面側にて内外方向へ回動可能に支持されて同第１の扉の先端側縁部に沿って上下方向に延び外方向への回動時には同第１の扉の内面に沿って同扉の先端側縁部から先端側へ突出するとともに内方向への回動時には同扉の先端側縁部から後退する柱状の閉塞部材と、前記庫本体の上下各縁部に設けられ前記閉塞部材の上下各端部と摺接して同閉塞部材を外方向へ回動させるガイド部材を備え、前記両扉の閉鎖時、これら両扉の内面を前記庫本体の正面開口部の周縁部の前面にシール部材を介して当接させて同正面開口部の周囲を閉塞するとともに、前記閉塞部材の前面を前記両扉の先端側縁部の内面にシール部材を介して当接させて前記両扉の互いに対向する先端側縁部間の上下方向の隙間を閉塞するように構成した観音開き式冷蔵庫がある。
【０００３】
当該冷蔵庫においては、第１の扉の開放時に閉塞部材を同扉に固定して支持するための固定手段が設けられている。当該固定手段は、閉塞部材側に設けたマグネットと、第１の扉側に設けた吸着板とからなるもので、第１の扉の開放時には内方向へ回動させた閉塞部材をマグネットの吸着作用により同扉に吸着させて固定するように構成されている。
【０００４】
一方、上記した形式の観音開き式冷蔵庫と同一形式の特公平５−６１３３号公報に示された冷蔵庫においては、閉塞部材を第１の扉の開放時には内方向へ付勢するとともに同扉の閉鎖時には外方向へ付勢するバネ部材が採用されていて、閉塞部材を同扉の開放時には内方向への回動位置に位置させ、かつ同扉の閉鎖時には外方向への回動位置に位置させるように構成されている。
【０００５】
【発明が解決しようとする課題】
ところで、この種形式の観音開き式冷蔵庫においては、閉塞部材は第１の扉の開放時には同扉の内面にマグネットの吸着力により固定されており、同扉の閉鎖時には閉塞部材の上下各端部にガイド部材から外方向への押圧力を受けてマグネットの吸着力に打ち勝って、第１の扉から離脱して回動し同扉の内面に沿って位置し、また同扉の開放時には内方向への押圧力を受けて回動してマグネットの吸着力により同扉の内面にマグネットの吸着力により固定される。このため、閉塞部材は第１の扉の開閉時には上下各端部とマグネットが配設されている中間部とでは相対的に異なる方向の作用力を受けることになり、第１の扉の開閉により同扉に対する吸着、離脱時に曲げ力が繰り返し作用して、同閉塞部材を変形させる等同閉塞部材に悪影響を与えることになる。
【０００６】
一方、後者の公報に示された冷蔵庫においては、バネ部材として閉塞部材が所定量回動した時点で付勢方向を変更するターンオーバスプリングを採用している。このため、第１の扉の開放時には閉塞部材をターンオーバスプリングに抗して回動させることができ、第１の扉の開放時に閉塞部材を誤って外方向へ回動させた場合には、同扉を閉鎖し得ない状態が発生する。
【０００７】
従って、本発明の目的は、上記した形式の観音開き式冷蔵庫において、上記した各問題の少なくとも１つ、延いてはこれら両問題を解決することにある。
【０００８】
【課題を解決するための手段】
本発明は、観音開き式冷蔵庫に関するもので、下記に示す形式の観音開き式冷蔵庫を適用対象とするものである。すなわち、本発明が適用対象とする観音開き式冷蔵庫は、正面開口部を有する庫本体と、同庫本体の左右の各側縁部に基端側縁部を前後方向へ回動可能に支持されて同庫本体の正面開口部を開閉する左右の第１および第２の扉と、前記第１の扉の先端側縁部の内面側にて内外方向へ回動可能に支持されて同第１の扉の先端側縁部に沿って上下方向に延び外方向への回動時には同第１の扉の内面に沿って同扉の先端側縁部から先端側へ突出するとともに内方向への回動時には同扉の先端側縁部から後退する柱状の閉塞部材と、前記庫本体の上下各縁部に設けられ前記閉塞部材の上下各端部と摺接して同閉塞部材を外方向へ回動させるガイド部材を備え、前記両扉の閉鎖時、これら両扉の内面を前記庫本体の正面開口部の周縁部の前面にシール部材を介して当接させて同正面開口部の周囲を閉塞するとともに、前記閉塞部材の前面を前記両扉の先端側縁部の内面にシール部材を介して当接させて前記両扉の互いに対向する先端側縁部間の上下方向の隙間を閉塞するように構成した形式の観音開き式冷蔵庫である。
【０００９】
しかして、本発明に係る観音開き式冷蔵庫においては、前記閉塞部材の上下各端部を前記第１の扉の先端側縁部の内面の上下各部位に回動可能に支持するヒンジを構成する可動側ヒンジ部および固定側ヒンジ部の互いに対向するいずれか一方の部位にマグネットを設けて、いずれか他方の部位を前記マグネットに対する吸着面としたことを特徴とするものである。
【００１０】
本発明に係る観音開き式冷蔵庫においては、前記マグネットを前記閉塞部材の上下各端部側に設けて、前記マグネットが対向する前記第１の扉の先端側縁部の部位と、前記マグネットが対向する前記ガイド部材の部位とを、前記マグネットに対する吸着面とするようにすることができる。また、本発明に係る観音開き式冷蔵庫においては、前記閉塞部材の上下各端部を前記第１の扉の先端側縁部の内面の上下各部位に回動可能に支持する両ヒンジの少なくとも一方のヒンジを構成する可動側ヒンジ部および固定側ヒンジ部間に、前記閉塞部材を内方向へ付勢するバネ部材を配設するようにすることができる。
【００１１】
【発明の作用・効果】
本発明に係る冷蔵庫においては、閉塞部材を第１の扉側へ吸着保持するマグネットおよび吸着面の配設部位が、閉塞部材の上下各端部側と前記第１の扉の先端側縁部の内面側に設けられているため、閉塞部材の第１の扉に対する吸着固定部と同閉塞部材の回動側への押圧力付与部とが同一または近傍の部位となり、閉塞部材が第１の扉に吸着、離脱する際に受ける曲げ力を抑制することができ、同閉塞部材を変形させる等の悪影響を受けることがなく、同閉塞部材の耐久性を向上させることができる。
【００１２】
また、当該冷蔵庫において、特に、前記マグネットおよび吸着面の配設位置として、閉塞部材の上下各端部を第１の扉の先端側縁部の内面の上下各部位に回動可能に支持するヒンジを構成する可動側ヒンジ部および固定側ヒンジ部の互いに対向するいずれか一方の部位にマグネットを設けて、他方の部位を前記マグネットに対する吸着面とするように構成しているので、閉塞部材が第１の扉に対して吸着、離脱する際に曲げ力を受けることがなく、同閉塞部材を変形させる等の悪影響を排除することができて、同閉塞部材の耐久性を一層向上させることができる。また、マグネットおよびその吸着面はヒンジにより確定されて的確となるため、マグネットおよび／または吸着面の位置調整は不要である。
【００１３】
また、当該冷蔵庫において、前記マグネットを前記閉塞部材の上下各端部側に設けて、前記マグネットが対向する前記第１の扉の先端側縁部の部位と、前記マグネットが対向する前記ガイド部材の対向する部位とを、前記マグネットの吸着面とするように構成すれば、閉塞部材を変形させる等の悪影響を抑制して閉塞部材の耐久性を向上させることができることは勿論のこと、閉塞部材は第１の扉の閉鎖時には庫本体側に吸着固定されるため、第２の扉の開閉に起因する風圧や振動により第１の扉が開放されることが規制される。
【００１４】
また、本発明に係る冷蔵庫において、前記ヒンジを構成する可動側ヒンジ部および固定側ヒンジ部間に、前記閉塞部材を内方向へ付勢するバネ部材を配設するようにすれば、閉塞部材は常に内方向へ付勢されているため、第１の扉の開放時に同閉塞部材を誤って外方向へ回動させても、同閉塞部材は内方向への付勢力により回動して内方向への回動位置に自動的に復帰し、第１の扉を閉鎖し得ない状態が発生することはない。
【００１６】
【実施例】
以下、本発明の実施例を図面に基づいて説明するに、図１には本発明の第１実施例に係る冷蔵庫が示されている。当該冷蔵庫は観音開き式冷蔵庫であり、同図（ａ）は両扉を閉鎖した状態の正面を示し、同図（ｂ）は両扉の正面左側の上側の扉のみを開放した状態の正面を示しており、また図２は当該冷蔵庫の上側の各扉の内面を示している。
【００１７】
当該冷蔵庫は上下２段の冷蔵室を備えたもので、庫本体１１はその上部および下部にそれぞれ正面開口部１１ａ，１１ｂを備えているとともに、上側の正面開口部１１ａを開閉する左右一対の第１，第２扉１２，１３、および下側の正面開口部１１ｂを開閉する左右一対の第１，第２扉１４，１５を備えている。また、各第１扉１２，１４の内面側には閉塞部材１６，１７、およびこれら各閉塞部材１６，１７を開閉操作する図３〜図７に示すガイド機構２０を備えている。各正面開口部１１ａ，１１ｂを開閉する各第１扉１２，１４および第２扉１３，１５、各閉塞部材１６，１７、および各ガイド機構２０はそれぞれ同一の構成、同一の組付け構造を有するものである。従って、以下には、庫本体１１の上側の正面開口部１１ａを開閉する第１，第２扉１２，１３、閉塞部材１６、およびガイド機構２０について詳細に説明するとともに、庫本体１１の下側の正面開口部１１ｂを開閉する第１，第２扉１４，１５、閉塞部材１７、およびガイド機構２０についての詳細な説明についてはこれを省略し、これらについては必要により説明するにとどめる。
【００１８】
当該冷蔵庫において、第１扉１２は庫本体１１の正面開口部１１ａの向かって右側縁部にその右側の基端縁部にて前後方向へ回動可能に支持されており、また第２扉１３は庫本体１１の正面開口部１１ａの向かって左側縁部にその左側の基端縁部にて前後方向へ回動可能に支持されていて、両扉１２，１３は後方へ回動された状態においては、庫本体１１の正面開口部１１ａを閉鎖するとともに、この閉鎖状態においては第１扉１２の左側の先端側縁部と第２扉１３の右側の先端側縁部とが所定隙間を保持して互いに対向するようになっている。これら両扉１２，１３は、アウタパネル１２ａ，１３ａとインナパネル１２ｂ，１３ｂからなる箱体の内部に断熱材料１２ｃ，１３ｃを充填してなるもので、各インナパネル１２ｂ，１３ｂの内面の外周縁部にシール部材１２ｄ，１３ｄがそれぞれ取付けられている。
【００１９】
シール部材１２ｄはコ字状を呈するもので、特に図２に示すように、第１扉１２の内面の外周縁部にて脱着可能に取付けられて上側縁部、基端側縁部および下側縁部に延びている。なお、シール部材１２ｄの上側の先端は第１扉１２の先端側縁部にてわずかに下方へ延びているとともに、下側の先端は同扉１２の先端側縁部にてわずかに上方へ延びており、これら各先端部の端面は略４５度の傾斜面に形成されている。一方、第２扉１３側のシール部材１３ｄはロ字状を呈するもので、第２扉１３の内面の外周縁部にて脱着可能に取付けられてその全外周縁部に延びている。
【００２０】
閉塞部材１６は角状の筒体の内部に断熱部材を充填してなる断面長方形の柱状のもので、庫本体１１の正面開口部１１ａの上下方向の長さに比較してわずかに短い長さを有している。当該閉塞部材１６においては、正面に向かって前面１６ａ、左側面１６ｂ、右側面１６ｃ、および後面１６ｄの４つの面を備えている。閉塞部材１６は、右側面１６ｃの前側の上下各部位にて第１扉１２の先端部の内面に、上下一対のヒンジ１８を介して内外方向へ回動可能に支持されている。当該閉塞部材１６においては、その前面１６ａの基端側部位にＩ字状のシール部材１６ｇが脱着可能に取付けられている。同シール部材１６ｇの上下各端面は略４５度の傾斜面に形成されていて、第１扉１２側に設けたシール部材１２ｄの上下両先端面に当接する形状になっているとともに、その長さはシール部材１２ｄの上下両先端間の長さと略同じ長さに形成されている。
【００２１】
ガイド機構２０は、庫本体１１側に設けた第１のガイド部と、閉塞部材１６側に設けた第２のガイド部とにより構成されている。庫本体１１側の第１のガイド部はガイド部材２２にて構成され、また閉塞部材１６側の第２のガイド部はガイド部材２１、シール部材２３，リテーナ２４にて構成されている。第２のガイド部を構成するガイド部材２１は、縦断面形状が略Ｌ字状でかつ平面形状が長方形状のもので、板状のシール部材２３がガイド部材２１の前面に設けた凹所２１ａに嵌合された状態で、Ｌ字状のリテーナ２４に挟持されて固定されている。シール部材２３の上端縁部は、ガイド部材２１の起立部２１ｂの上端縁部からわずかに上方へ突出している。ガイド部材２１はこの状態で閉塞部材１６の上端面および下端面に固定されている。
【００２２】
第１のガイド部を構成するガイド部材２２は所定厚みの長方形状のもので、ガイド部材２１と同一の左右の幅寸法に形成されている。ガイド部材２２の前面２２ａはガイド面に形成されていて、庫本体１１の内側の天井および底にて正面開口部１１ａの左右の中央部に固定されており、正面開口部１１ａの前面からわずかに後方に位置している。当該冷蔵庫においては、庫本体１１の正面開口部１１ａの前面とガイド部材２２の前面２２ａとの間の寸法は、ガイド部材２１の起立部２１ｂの前後の厚みと略同一の寸法に設定されている。
【００２３】
しかして、当該冷蔵庫においては、上下各ヒンジ１８に吸着用マグネット１９ａおよびトーションスプリング１９ｂが設けられている。ヒンジ１８は図４および図５に示されているように、可動側ヒンジ部１８ａと固定側ヒンジ部１８ｂとを備え、これら両ヒンジ部１８ａ，１８ｂは連結アーム部１８ａ１，１８ｂ１と取付部１８ａ２，１８ｂ２とを備えている。可動側ヒンジ部１８ａは閉塞部材１６の右側面１６ｃに取付けられ、かつ固定側ヒンジ部１８ｂは第１扉１２の内面に取付けられていて、これら両ヒンジ部１８ａ，１８ｂの連結アーム部１８ａ１，１８ｂ１を互いに重合した状態で支持ピン１８ｃを介して回動可能に連結されている。両ヒンジ部１８ａ，１８ｂにおける取付部１８ａ２，１８ｂ２はそれらの表面側に互いに対向する対向面を備え、可動側ヒンジ１８ａの回動時には取付部１８ａ２，１８ｂ２の両対向面は互いに進退する。
【００２４】
当該ヒンジ１８においては、固定側ヒンジ部１８ｂの取付部１８ｂ２の対向面に吸着用マグネット１９ａが固着されていて、可動側ヒンジ部１８ａの取付部１８ａ２の対向面が吸着面に形成されている。また、当該ヒンジ１８においては、支持ピン１８ｃにトーションスプリング１９ｂの中央部が嵌合していて、同スプリング１９ｂの一端が可動側ヒンジ部１８ａの取付部１８ａ２の裏面に弾撥的に掛止され、かつ同スプリング１９ｂの他端が固定側ヒンジ部１８ｂの取付部１８ｂ２の裏面に弾撥的に掛止されている。これにより、トーションスプリング１９ｂは閉塞部材１６を常に内方向へ付勢している。
【００２５】
このように構成された冷蔵庫においては、第１扉１２が開放されている場合、閉塞部材１６はトーションスプリング１９ｂの付勢力により内方へ回動していて、マグネット１９ａに吸着されて第１扉１２側に固定されている。この状態で、第１扉１２を閉鎖すると、閉塞部材１６側のガイド部材２１の起立部２１ｂの先端が庫本体１１側のガイド部材２２の前面２２ａに当接するとともに同前面２２ａを摺動し、この間に閉塞部材１６は外方へ押圧される。このため、閉塞部材１６はマグネット１９ａの吸着力に打勝って同マグネット１９ａから離間し、トーションスプリング１９ｂに抗して外方へ回動される。第１扉１２が完全に閉鎖された状態において、閉塞部材１６は第１扉１２の内面に沿って位置して閉塞部材１６に設けたシール部材１６ｇを第１扉１２の内面に当接させるとともに、第２扉１３が閉鎖状態にある場合には、同閉塞部材１６の前面１６ａの先端部を第２扉１３に設けたシール部材１３ｄの先端部側の部位に当接させる。また、第２扉１３が開放状態にある場合には、閉塞部材１６は第１扉１２の内面に沿って位置して閉塞部材１６に設けたシール部材１６ｇを第１扉１２の内面に当接させた状態にあり、第２扉１３を閉鎖すると、第２扉１３のシール部材１３ｄの先端部側の部位が閉塞部材１６の前面１６ａに当接する。
【００２６】
これにより、両扉１２，１３の閉鎖状態においては、両扉１２，１３の先端側縁部間が閉塞部材１６により気密的に閉塞されるとともに、庫本体１１の正面開口部１１ａの全周縁部が両扉１２，１３に設けたシール部材１２ｄ，１３ｄを介して気密的に閉塞される。また、ガイド機構２０においては、ガイド部材２１の起立部２１ｂの後面がガイド部材２２の前面２２ａに沿って接触した状態で位置するとともに、ガイド部材２１に設けたシール部材２３の先端部が庫本体１１の正面開口部１１ａの縁部に当接して、ガイド部材２１の先端部と庫本体１１の正面開口部１１ａの縁部との間の隙間が気密的に閉塞される。すなわち、当該冷蔵庫においては、閉塞部材１６の上下各端部と庫本体１１の正面開口部１１ａの上下各縁部との間の隙間は、両ガイド部材２１，２２およびシール部材２３により気密的に確実に閉塞される。
【００２７】
当該冷蔵庫において第１扉１２の閉鎖時には、ガイド機構２０の閉塞部材１６側のガイド部材２１は、トーションスプリング１９ｂの作用により庫本体１１側のガイド部材２２に弾撥的に当接している。このため、第１扉１２を開放する際には、ガイド部材２１がガイド部材２２に摺接した状態で閉塞部材１６は漸次内方向へ回動される。閉塞部材１６は、ガイド部材２１がガイド部材２２から離間した状態では、さらに内方向へ回動してヒンジ１８の可動側ヒンジ部１８ａの取付部１８ａ２の対向面が吸着用マグネット１９ａに吸着され、第１扉１２側に固定される。
【００２８】
このように、当該冷蔵庫においては、閉塞部材１６を第１扉１２側へ吸着固定するマグネット１９ａおよび吸着面が閉塞部材１６を第１扉１２に回動可能に支持するヒンジ１８に設けられているため、閉塞部材１６が第１扉１２に対して保持、離脱する際に曲げ力を受けることがなくて、閉塞部材１６を変形させる等の悪影響を受けることがなく、閉塞部材１６の耐久性を向上させることができる。また、当該冷蔵庫においては、マグネット１９ａおよび吸着面の配設位置はヒンジ１８により確定されて的確となるため、マグネツト１９ａおよび／または吸着面の位置調整は不要である。また、当該冷蔵庫においては、閉塞部材１６はトーションスプリング１９ｂの作用で常に内方向へ付勢されている。
【００２９】
このため、第１扉１２の開放時に閉塞部材１６を誤って外方向へ回動させても、閉塞部材１６は内方向への付勢力により回動して内方向への回動位置に自動的に復帰するため、第１扉１２を閉鎖し得ない状態が発生することはない。また、閉塞部材１６は第１扉１２の開放時にはトーションスプリング１９ｂの付勢力とマグネット１９ａの吸着力により第１扉１２に確実に吸着保持されているため、第１扉１２の開放時に閉塞部材１６に外方向へ回動させる力が作用しても、閉塞部材１６の回動はトーションスプリング１９ｂの付勢力とマグネット１９ａの吸着力により規制され、第１扉１２の開放時に閉塞部材１６が誤って外方向へ回動されるようなことはない。
【００３０】
なお、以上説明した本実施例においては、第１扉１２の内面にコ字状の形状のシール部材１２ｄを脱着可能に取付るとともに、閉塞部材１６の前面にはＩ字状のシール部材１６ｇを脱着可能に設けて、これら各シール部材１２ｄ，１６ｇの交換または洗浄の際の取外しおよび取付け時に閉塞部材１６が障害にならないように配慮した例を示したが、本発明は第１扉１２に第２扉１３と同様に、ロ字状の形状をしたシール部材を脱着可能に取付けた通常の冷蔵庫に対して適用されることは当然である。また、本実施例においては、シール部材２３を備えたガイド機構２０を採用して閉塞部材１６の上下各端部と庫本体１１の正面開口部１１ａの上下各縁部との間の隙間を確実に密閉するようにした例を示したが、本発明は当該ガイド機構２０に換えて従来公知の各種のガイド機構を採用した通常の冷蔵庫に対しても適用されることも当然である。
【００３１】
図８〜図１２には本発明の第２実施例に係る観音開き式冷蔵庫における扉、閉塞部材、ガイド機構等、主要な構成部が示されている。当該冷蔵庫は第１実施例に係る冷蔵庫に対して、右側の上下各第１扉、閉塞部材、および上下各ガイド機構が相違している点を除き同様に構成されているもので、第１扉１２Ａ、閉塞部材１６Ａ、ガイド機構２０Ａを除き第１実施例の各構成部材および各構成部位と同一の部材および部位には同一の符号を付してその詳細な説明は省略する。
【００３２】
しかして、当該冷蔵庫の第１扉１２Ａは、その内面にロ字状のシール部材が取付けられている点を除き第１扉１２と略同一の構成であり、閉塞部材１６Ａはその前面へのシール部材の取付けが省略されている点を除き閉塞部材１６と略同一の構成である。ガイド機構２０Ａは、庫本体１１側に設けた第１のガイド部と、閉塞部材１６Ａ側に設けた第２のガイド部とにより構成されている。庫本体１１側の第１のガイド部はガイド部材２５と吸着板２６にて構成され、また閉塞部材１６ａ側の第２のガイド部はガイド部材２７とシール部材２８にて構成されている。
【００３３】
第１のガイド部を構成するガイド部材２５は平面長方形状のもので、前面２５ａがガイド面に形成されており、また左側には下方へ突出する突起部２５ｂが形成されている。吸着板２６は平板部２６ａの後側に下方へ突出する吸着部２６ｂを備えたもので、平板部２６ａにてガイド部材２５の上面の嵌合凹所２５ｃに設けた一対の凸部２５ｄに嵌合されており、吸着部２６ｂはガイド部材２５の後側にて下方へ突出している。吸着部２６ｂは本発明の第２の吸着面を形成する。
【００３４】
第２のガイド部を構成するガイド部材２７は、縦断面形状が略Ｌ字状でかつ平面形状が長方形状のもので、前面に第１嵌合凹所２７ａが形成され、かつ左側面に第２嵌合凹所２７ｂが形成されている。シール部材２８は軟質で平板状のシール部２８ａと、略Ｔ字状で硬質の取付部２８ｂとからなり、取付部２８ｂの突出部２８ｃをガイド部材２７のスリット状の溝部２７ｃに挿入した状態で第１嵌合凹所２７ａに嵌合されてガイド部材２７に固定されている。シール部材２８のシール部２８ａはガイド部材２７の起立部２７ｄからわずかに上方へ突出している。ガイド部材２７はこの状態で閉塞部材１６Ａの上下各端部に嵌合された状態でネジ止めされて固定されている。
【００３５】
ガイド部材２７においては、その後方の右側にマグネット２９が取付けられており、同マグネット２９の両脚部２９ａはガイド部材２５に設けた吸着板２６の吸着部２６ｂに対向して位置している。また、ガイド部材２７の第２嵌合凹所２７ｂはガイド部材２５の突起部２５ｂに対向する部位に位置し、同突起部２５ｂに嵌合するように形成されている。なお、庫本体１１の正面開口部１１ａの前面とガイド部材２５の前面２５ａとの間の寸法は、ガイド部材２７の起立部２７ｄの前後の厚みと略同一の寸法に設定されている。
【００３６】
しかして、当該冷蔵庫においては、上側のヒンジ１８Ａにトーションスプリング１９ｂが設けられていて、第１扉１２Ａを常に内方へ付勢している。ヒンジ１８Ａは、可動側ヒンジ部１８ａと固定側ヒンジ部１８ｂとを備え、これら両ヒンジ部１８ａ，１８ｂは連結アーム部１８ａ１，１８ｂ１と取付部１８ａ２，１８ｂ２とを備えている。可動側ヒンジ部１８ａは閉塞部材１６Ａの右側面１６ｃに取付けられ、かつ固定側ヒンジ部１８ｂは第１扉１２Ａの内面に取付けられていて、これら両ヒンジ部１８ａ，１８ｂの連結アーム部１８ａ１，１８ｂ１を互いに重合した状態で支持ピン１８ｃを介して回動可能に連結されている。また、固定側ヒンジ部１８ｂにおける取付部１８ｂ２は内方へ延出されて吸着部１８ｂ３に形成されている。この吸着部１８ｂ３は本発明の第１の吸着面を形成するもので、ガイド部材２７に設けたマグネット２９の両脚部２９ａに対向し、閉塞部材１６Ａが内方へ回動した際に同脚部２９ａが吸着される。なお、トーションスプリング１９ｂは上下各ヒンジ１８Ａに設けるようにしてもよい。
【００３７】
このように構成された冷蔵庫においては、第１扉１２Ａが開放されている場合、閉塞部材１６Ａはトーションスプリング１９ｂの付勢力により内方へ回動していて、マグネット２９の両脚部２９ａを介して第１扉１２Ａ側の吸着部１８ｂ３に吸着固定されている。この状態で、第１扉１２Ａを閉鎖すると、閉塞部材１６Ａ側のガイド部材２７の起立部２７ｄの先端が庫本体１１側のガイド部材２５の前面２５ａに当接するとともに同前面２５ａを摺動し、この間に閉塞部材１６Ａは外方へ押圧される。このため、閉塞部材１６Ａはマグネット２９の吸着力に打勝って吸着部１８ｂ３から離間し、トーションスプリング１９ｂに抗して外方へ回動される。
【００３８】
第１扉１２Ａが完全に閉鎖された状態において、閉塞部材１６Ａは第１扉１２Ａの内面に沿って位置してその前面１６ａを第１扉１２Ａの内面側のシール部材の先端側縁部に当接させるとともに、第２扉１３が閉鎖状態にある場合には、同閉塞部材１６Ａの前面１６ａの先端部を第２扉１３の内面側のシール部材の先端側縁部に当接させる。また、第２扉１３が開放状態にある場合には、閉塞部材１６Ａは第１扉１２Ａの内面に沿って位置して閉塞部材１６Ａの前面１６ａを第１扉１２Ａの内面側のシール部材の先端側縁部に当接させた状態にあり、第２扉１３を閉鎖すると、第２扉１３のシール部材の先端側縁部が閉塞部材１６Ａの前面１６ａに当接する。この状態において、マグネット２９の両脚部２９ａはガイド部材２５に設けた吸着部２６ｂに吸着して閉塞部材１６Ａを庫本体１１側に固定しており、かつガイド部材２７はその第２凹所２７ｂにてガイド部材２５の突起部２５ｂに嵌合して位置決めされている。
【００３９】
これにより、両扉１２Ａ，１３の閉鎖状態においては、両扉１２Ａ，１３の先端側縁部間が閉塞部材１６Ａにより気密的に閉塞されるとともに、庫本体１１の正面開口部１１ａの全周縁部が両扉１２Ａ，１３に設けたシール部材を介して気密的に閉塞される。また、ガイド機構２０Ａにおいては、ガイド部材２７の起立部２７ｄの後面がガイド部材２５の前面２５ａに沿って接触した状態で位置するとともに、ガイド部材２７に設けたシール部材２８の先端部が庫本体１１の正面開口部１１ａの縁部に当接して、ガイド部材２７の先端部と庫本体１１の正面開口部１１ａの縁部との間の隙間が気密的に閉塞される。すなわち、当該冷蔵庫においては、閉塞部材１６Ａの上下各端部と庫本体１１の正面開口部１１ａの上下各縁部との間の隙間は、両ガイド部材２７Ａ，２５およびシール部材２８により気密的に確実に閉塞される。
【００４０】
当該冷蔵庫においては、第１扉１２Ａの閉鎖状態ではガイド機構２０Ａの閉塞部材１６Ａ側のガイド部材２７は、トーションスプリング１９ｂの作用により庫本体１１側のガイド部材２５に弾撥的に当接している。このため、第１扉１２Ａを開放する際には、閉塞部材１６Ａはガイド部材２７がガイド部材２５に摺接した状態で庫本体１１側の吸着固定を解除されて漸次内方へ回動される。閉塞部材１６Ａは、ガイド部材２７がガイド部材２５から離間した状態ではさらに内方へ回動し、マグネット２９の両脚部２９ａがヒンジ１８Ａの固定側ヒンジ部１８ｂの吸着部１８ｂ３に吸着され、第１扉１２Ａ側に吸着固定される。
【００４１】
従って、当該冷蔵庫においては、第１実施例に係る冷蔵庫と同様の作用効果を奏するとともに、閉塞部材１６Ａの上下各端部のガイド部材２７にマグネット２９を設けて、第１扉１２Ａの先端側縁部の内面側および庫本体１１のガイド部材２５側にマグネット２９に対する吸着部１８ｂ３，２６ｂを設けているため、閉塞部材１６Ａは第１扉１２Ａの閉鎖時には庫本体１１側に吸着固定されるため、第２扉１３の開閉に起因する風圧や振動による第１扉１２Ａの開放が規制される。
【図面の簡単な説明】
【図１】本発明の第１実施例に係る観音開き式冷蔵庫の両扉を閉鎖した状態の正面図（ａ）、および左側の上側扉を開放した状態の正面図（ｂ）である。
【図２】同冷蔵庫における左右両側の上側の扉の内面側の一部を省略した状態の背面図である。
【図３】同冷蔵庫における閉塞部材の上端部側の構造を示す一部を省略した斜視図である。
【図４】同冷蔵庫における右側扉を開放した状態での閉塞部材を示す一部切欠平面図である。
【図５】同右側扉を閉鎖した状態での閉塞部材の状態を示す平面図である。
【図６】同右側扉を閉鎖しかつ左側扉を開放た状態での図５の矢印６方向からみた側面図である。
【図７】同冷蔵庫におけるガイド機構を構成する閉塞部材側のガイド部の分解斜視図である。
【図８】本発明の第２実施例に係る冷蔵庫における閉塞部材の上端部側、およびガイド機構の構造を示す一部を省略した斜視図である。
【図９】同冷蔵庫における右側扉を開放した状態での閉塞部材を示す一部切欠平面図である。
【図１０】同右側扉を閉鎖した状態での閉塞部材の状態を示す平面図である。
【図１１】同右側扉を閉鎖しかつ左側扉を開放た状態での図６に対応する側面図である。
【図１２】同冷蔵庫におけるガイド機構を構成する閉塞部材側のガイド部の分解斜視図である。
【符号の説明】
１１…庫本体、１１ａ，１１ｂ…正面開口部、１２，１２Ａ，１４…第１扉（右側扉）、１３，１５…第２扉（左側扉）、１２ｄ，１３ｄ…シール部材、１６，１６Ａ，１７…閉塞部材、１６ｇ…シール部材、１８，１８Ａ…ヒンジ、１８ａ…可動側ヒンジ部、１８ｂ…固定側ヒンジ部、１８ａ１，１８ｂ１…連結アーム部、１８ａ２，１８ｂ２…取付部、１８ｂ３…吸着部、１９ａ，２９…マグネット、１９ｂ…トーションスプリング、２０，２０Ａ…ガイド機構、２１，２２，２５，２７…ガイド部材、２３，２８…シール部材、２６…吸着部材、２６ｂ…吸着部。
【図１】
0003582877.tif 000002
【図２】
0003582877.tif 000003
【図３】
0003582877.tif 000004
【図４】
0003582877.tif 000005
【図５】
0003582877.tif 000006
【図６】
0003582877.tif 000007
【図７】
0003582877.tif 000008
【図８】
0003582877.tif 000009
【図９】
0003582877.tif 000010
【図１０】
0003582877.tif 000011
【図１１】
0003582877.tif 000012
【図１２】
0003582877.tif 000013